(57)【要約】【課題】回路部品で発生した熱を放熱する手段【解決手段】アルミダイキャストで形成されたベース部１２には、回路部品３８１がベース部１２側に実装された回路基板３８を有するステータ部３が備えられている。ベース部１２と回路部品３８１との間には、熱伝導性の高い導熱部材４が介在されている。回路部品３８１に発生する熱は、導熱部材４を介してベース部１２に伝達される。ベース部１２と支持脚１３とハウジング１は、一体成形されているので、回路部品３８１で発生した熱が、ベース部１２に伝達された後、支持脚１３およびハウジング１に伝達され、拡散する。【選択図】図１
2007300741.tif 000002
【特許請求の範囲】
【請求項１】
電動式のモータであって、
ステータ部と、
前記ステータ部に対して所定の中心軸周りに回転するロータ部と、
前記ステータ部が取付けられ、熱伝導性に優れた材料で形成されたベース部と、
を備え、
前記ステータ部が、
コイルが巻回された複数のティースを有するステータコアと、
前記ロータ部の回転を制御する制御回路を構成する回路部品が実装され、前記ロータ部と前記ベース部との間に設けられた回路基板と、
で構成され、
前記回路基板の前記ベース部側に実装された回路部品の少なくとも一部と、前記ベース部と、の間に両者に接触する状態で導熱部材が介在される
ことを特徴とするモータ。
【請求項２】
請求項１に記載のモータであって、
前記ベース部が、側壁を前記ベース部の外周部に有する
ことを特徴とするモータ。
【請求項３】
請求項１または請求項２に記載のモータであって、
前記ベース部が、ダイキャストによって形成される
ことを特徴とするモータ。
【請求項４】
請求項１ないし請求項４のいずれかに記載のモータであって、
前記ベース部の前記回路部品と対向する面に、前記回路基板へ向かう突出面が形成される
ことを特徴とするモータ。
【請求項５】
請求項４または請求項５のいずれかに記載のモータであって、
前記回路部品に対向する前記ベース部の対向面には、前記導熱部材および絶縁シートが配置されている
ことを特徴とするモータ。
【請求項６】
請求項１ないし請求項６のいずれかに記載のモータを用いたファンユニットであって、
前記ロータ部は、
前記ロータ部外周面より径方向外方に向けて突設され、
回転することで空気を軸方向に吸気し軸方向に排気する複数枚の羽根を備え、
前記複数枚の羽根は、
前記空気流の流路を形成するハウジングによって径方向外方から外囲され、
前記ハウジングと前記ベース部とが支持脚によって連結される
ことを特徴とする軸流ファンユニット。
【請求項７】
請求項１ないし請求項６のいずれかに記載のモータを用いたファンユニットであって、
前記ロータ部は、
前記ロータ部の径方向外方において、前記中心軸を中心として環状に配列された複数枚の羽根を備えており、
軸方向から吸気した空気を径方向外方側に排出するように流路が形成されたハウジングが備えられている
ことを特徴とする遠心ファンユニット。
【発明の詳細な説明】
【技術分野】
【０００１】
本発明は、回路基板に実装された回路部品の放熱構造を有する電動式のモータに関する。
【背景技術】
【０００２】
近年、各種電子機器の高性能化に伴い、電子機器内部に備えられた回路部品（例えばＭＰＵ等の高性能回路部品）の発熱量は上昇の一途を辿っており、電子機器筐体内部の温度上昇が著しい。そこで、電子機器筐体内部や特定の回路部品を冷却するために、冷却用ファンモータが用いられる。
【０００３】
従来の冷却用ファンモータは、電動式のモータによりロータ部が駆動されている。このようなモータは、所定の中心軸を中心として環状に配置されたインペラおよびロータマグネットを有するロータ部、および、ロータマグネットと対向するように配置されたステータ部、および、ステータ部が設置されるベース部が備えられる。ステータ部は、ステータコアに銅線が巻回されてコイルが形成される。ステータコアに巻回されたコイルの一部が、ロータ部の回転を制御する回路を構成する回路部品に電気的に接続される。外部から制御回路に駆動電流が供給され、ステータコアに巻回されたコイルに電流が流れることで、ステータコアに磁界が発生し、ロータ部に備えられたロータマグネットに着磁された磁界とステータコアで発生している磁界との相互作用により、ロータ部に回転トルクが発生する。
【０００４】
更なる電子機器内部の冷却が要求されており、従来の冷却用ファンモータよりも高い冷却特性を備える冷却用ファンモータの需要が高まっている。一般的に冷却用ファンモータの冷却特性を高めるには、電子機器筐体内の（高温の）空気を筐体外へ排出する排出量を増加させるために、冷却用ファンモータの風量を向上させる必要がある。風量を向上させるには、インペラが回転する際に発生する空気流量を増加させる必要があり、それに伴って、インペラの仕事量が増すため、冷却用ファンモータに供給する電流値が高くなる。回路基板に実装された回路部品に電流を流すと、回路部品の内部抵抗によって回路部品に温度上昇が生じる。回路部品に流れる電流が高電流である場合、温度上昇値は更に高くなる。インペラの回転を制御する回路を構成する回路部品には、許容温度範囲が定められているため、例えば、回路部品の発熱温度が、その許容温度範囲を越えると、回路部品自体に誤動作等を招く等の不具合が生じる虞がある。従って、モータを設計する際には、回路部品の内部温度を許容温度範囲内に抑える必要がある。特に回路部品に高電流が流れる冷却用ファンモータにおいては、安全性および信頼性の高いファンモータを得るためには、回路基板に実装された回路部品での発熱を強制的に放熱する手段が必要である。
【０００５】
そこで例えば、コイルの冷却を目的とする場合では、特許文献１の第２図および第４図に示されたファンモータにおいて、次のような構造が開示されている。コイルがステータコアに巻回されており、熱伝導性の良い金属製の支持部材がステータコアと金属製のベース部との間に設置され、インペラが回転することによって吸気口から排気口へ送られる空気流をベース部に当てることで、支持部材を介してステータコアを冷却することが可能となる。
【０００６】
【特許文献１】特公昭６０−４８６４０号公報（第２図および第４図）
【発明の開示】
【発明が解決しようとする課題】
【０００７】
しかし、特許文献１の第２図および第４図で示される、金属製の支持部材がステータコアと金属製のベース部との間に介在する構造では、ステータコアしか冷却することができず、インペラの回転を制御する回路部品が実装された回路基板をステータコアとベース部との間に設けた場合、回路基板上に点在する回路部品を十分に冷却することができない。
【０００８】
そこで、本発明の目的は、上記課題に鑑みなされたものであり、回路部品の温度上昇を抑制する強制放熱手段を得ることにある。
【課題を解決するための手段】
【０００９】
上記目的を達成するため、本発明の請求項１にかかるモータでは、電動式のモータであって、ステータ部と、ステータ部に対して所定の中心軸周りに回転するロータ部と、ステータ部が取付けられ、熱伝導性に優れた材料で形成されたベース部と、を備え、ステータ部が、コイルが巻回された複数のティースを有するステータコアと、ロータ部の回転を制御する制御回路を構成する回路部品が実装され、ロータ部とベース部との間に設けられた回路基板と、で構成され、回路基板のベース部側に実装された回路部品の少なくとも一部と、ベース部と、の間に両者に接触する状態で導熱部材が介在されることを特徴とする。
【００１０】
請求項２にかかるモータでは、請求項１に記載のモータであって、ベース部が、側壁をベース部の外周部に有することを特徴とする。
【００１１】
請求項３にかかるモータでは、請求項１または請求項２に記載のモータであって、ベース部が、ダイキャストによって形成されることを特徴とする。
【００１２】
請求項４にかかるモータでは、請求項１ないし請求項４のいずれかに記載のモータであって、ベース部が、ベース部の回路部品と対向する面に、回路基板へ向かう突出面が形成されることを特徴とする。
【００１３】
請求項５にかかるモータでは、請求項４または請求項５のいずれかに記載のモータであって、回路部品に対向するベース部の対向面には、導熱部材および絶縁シートが配置されていることを特徴とする。
【００１４】
請求項６にかかるモータでは、請求項１ないし請求項６のいずれかに記載のモータを用いた軸流ファンユニットであって、ロータ部は、ロータ部外周面より径方向外方に向けて突設され、回転することで空気を軸方向に吸気し軸方向に排気する複数枚の羽根を備え、複数枚の羽根は、空気流の流路を形成するハウジングによって径方向外方から外囲され、ハウジングとベース部とが支持脚によって連結されることを特徴とする。
【００１５】
請求項７にかかるモータでは、請求項１ないし請求項６のいずれかに記載のモータを用いた遠心ファンユニットであって、ロータ部は、ロータ部の径方向外方において、中心軸を中心として環状に配列された複数枚の羽根を備えており、軸方向から吸気した空気を径方向外方側に排出するように流路が形成されたハウジングが備えられていることを特徴とする。
【発明の効果】
【００１６】
請求項１の発明によれば、回路基板のベース部側に実装された複数の回路部品と熱伝導性に優れたベース部の間にある導熱部材を介して、回路部品で発生した熱をベース部に逃がすことができる。したがって、更なる高電流を回路基板に実装された回路部品に流すことが可能となる。
【００１７】
請求項２の発明によれば、ベース部の外周部に側壁が形成されることによって、導電部材がベース部内に収容することができる。加えて、ベース部の外周部に側壁を形成された分だけベース部の表面積が増加することになり、回路部品の冷却効率が向上する。更に、ハウジング
請求項３の発明によれば、ベース部をダイキャストで形成することによって、切削加工と比較して、短時間で多量に製造することができる。加えて、１つの金型で鋳造を行うことができるので、同一製品を多量に供給することも可能となる。
【００１８】
請求項４の発明によれば、回路基板に実装された複数の回路部品の内、発熱による動作不良が顕著に現れる一部の回路部品のみと熱伝導性に優れたベース部の間に導熱部材を局所的に介在させることにより、使用する導熱部材の量が必要最低限となり、コストダウンを図ることができる。
【００１９】
請求項５の発明によれば、ベース部において、回路部品と対向する面に回路基板へ向かう突出面が形成されることにより、回路部品とベース部の間に介在される導熱部材を薄くすることができる。従って、使用する導熱部材の量を減らすことが可能となり、コストダウンを図ることができる。
【００２０】
請求項７および請求項８の発明によれば、熱伝導性に優れたベース部もしくはベース部と熱的に接続された部材に、インペラの回転によって生じる空気流を当てることにより、更に強制的に回路部品を冷却するができる。
【発明を実施するための最良の形態】
【００２１】
以下、本発明の各実施形態のモータについて、図１乃至図７を参照して説明する。ここではファンモータを実施形態として説明する。なお、下記の説明において、便宜上、各図面の上下方向を「上下方向」と記載したが、実際の取付け状態における方向を限定するものではない。更に、回転軸に平行な方向を軸方向とし、回転軸を中心とする半径方向を径方向と定義する。
【００２２】
（第１の実施形態）図１は、本発明にかかる第１の実施形態を示した軸方向の断面図である。ファンモータＡは、外部電源から電流が供給されることで、複数枚の羽根２２を有するインペラ２が回転駆動する。インペラ２は、略円筒状のインペラカップ部２１を備えており、インペラカップ部２１の外周面には、径方向外方に向けて複数枚の羽根２２が突設されている。
【００２３】
インペラカップ部２１の内周面には、有蓋円筒状のロータヨーク３１が圧入固定されている。ロータヨーク３１の円筒部内周面には、多極着磁されたロータマグネット３３が圧入固定されている。通常、ロータマグネット３３は、ロータヨーク３１に固定後に多極着磁されるが、着磁工程はロータマグネット３３単品でも可能であり、着磁工程の順序は限定されない。ロータヨーク３１は、ステンレス等の耐錆性が高い磁性体で形成されている。主に量産性を考慮し、プレス加工にて形成される。よって、ロータヨーク３１とロータマグネット３３との間で磁気回路を形成することができ、ロータマグネット３３からファンモータＡ外部への漏洩磁束を低減することが可能である。また、ロータマグネット３３から発生する磁束密度を高めることも可能である。更に、ロータヨーク３１の中心部には、プレス加工時にバーリング加工にて形成されたシャフト貫通孔が形成されており、シャフト貫通孔にシャフト３２が締結固定されている。
【００２４】
シャフト３２は、ボール軸受３４１および３４２に挿入されることによって、回転自在に支持される。ボール軸受３４１および３４２は、ベース部１２の中心部に形成された略円筒状の軸受ハウジング１２１の内周面に設けられた段差部に、ボール軸受３４１が中心軸上方向より、軸受３４２が中心軸下方向より、挿入される。ボール軸受（上側）３４１とボール軸受（下側）３４２との距離、いわゆる軸受スパンの中間点は、回転体の重心と近づけると好ましい。ボール軸受３４２は、下側からバネ３４８によって予圧される。バネ３４８は、ボール軸受３４２とワイヤーリング３４４とでボール軸受に予圧が加わるように固定される。ワイヤーリング３４４は、シャフト３２先端部に形成された環状溝に嵌合固定される。
【００２５】
インペラ２の径方向外方を包囲するハウジング１は、軸方向に２つの開口部を備えている。２つの開口部のうち、一方を吸気口１７、他方を排気口１８とし、インペラ２が回転する際に発生する空気流が、吸気口１７側から排気口１８側に向かって流れる。ハウジング１の上端面および下端面は、矩形枠状の正方形にて形成されているが、円形でも良く、形状は限定されない。正方形の四隅には、径方向外方に突出したフランジ部１６が形成されており、各フランジ部１６には、ファンモータＡが機器に取付けられる際に、ビス等の取付け具が挿入される取付け孔１６１が形成されている。
【００２６】
ハウジング１の下端面中央にベース部１２が配置されている。ベース部１２の外周側面から径方向外方に向けて４本の支持脚１３が放射状に延伸されており、風洞部１１と連結されている。ベース部１２は支持脚１３によってハウジング１に対して固定されている。従って、支持脚１３は風洞部１１が形成する空気流路１４を横切っており、インペラ２が回転する際に発生する空気流は、支持脚１３と干渉する。ただし、支持脚１３の本数は４本に限定されず、３本でも５本でも良い。支持脚１３の断面は、通常、空気流の風損を低減し、支持脚１３の強度を向上させるために略三角形に形成されている。支持脚１３の断面形状は、翼断面に形成されても良く、支持脚１３の断面形状は限定されない。また、支持脚１３を有するベース部１２は、排気口１８側に限定されず、吸気口１７側に配置されていても良い。
【００２７】
ベース部１２上端面の外縁に、略環状の側壁１５が設けられている。ベース部１２は、側壁１５を介して支持脚１３と接続されている。これにより、側壁１５と支持脚１３との接続面積を大きくすることができるため、支持脚１３とベース部１２との固定強度を向上させることが可能となる。また、ベース部１２の外周縁に側壁１５が設けられることで、ベース部１２の軸方向断面形状が、コ字状になり、断面二次モーメントが増加し、ベース部１２の強度が向上する。
【００２８】
ハウジング１は、アルミダイキャストにより、ベース部１２と軸受ハウジング１２１と支持脚１３とが一体的に形成される。アルミダイキャストとは、高温溶融されたアルミ合金が成形金型に押し込まれ、金型内および外部で冷却されることによって、鋳物が製造される鋳造方式である。アルミダイキャストで形成されたハウジング１は、強度および耐熱性が高いため、高負荷および高温度の過酷な環境下においても使用することができる。また、アルミダイキャストは、１つの金型から多量の鋳物が生産することが可能であるため、生産性が高い。更に、アルミダイキャストは、複雑な形状を容易に形成することができ、且つ、寸法精度の高いハウジング１を得ることができる。高い信頼性の軸受が要求される場合には、軸受ハウジング１２１を追加工（切削加工）することによって同軸度および真円度を向上させても良い。ハウジング１の材料は、アルミ合金に限定されず、亜鉛、マグネシウム等の合金でも良く、熱伝導性に優れた金属合金であれば、適宜変更可能である。また、ハウジング１は、アルミダイキャストではなく、金属板などのプレス加工によって形成されても良い。
【００２９】
ステータ部３は、軸受ハウジング１２１の外周部に支持される。ステータ部３は、ステータコア３５と、コイル３７と、インシュレータ３６と、回路基板３８と、で構成される。ステータコア３５は、ロータヨーク３１の円筒部内周面に固定されたロータマグネット３３と間隙を介して、径方向に対向するように配置されている。ステータコア３５の径方向外方の端部に形成された各ティース３５１には、絶縁部材で形成されたインシュレータ３６を介して、コイル３７がそれぞれ巻回される。ステータコア３５の下方には、インペラ２の回転駆動を制御するための回路基板３８が配置される。
【００３０】
回路基板３８の片面に、回路パターン（回路配線）が形成されている。回路基板３８は、回路パターンが形成されている側をベース部１２と対向する側に向けて、ベース部１２の外縁に形成された側壁部１５の上端部にビスで固定される。ただし回路基板３８は、図５のように、インシュレータ３６に固定されても良く、回路基板３８の固定手段は限定されない。回路パターン上には、回路部品３８１を実装するためのランドが形成されている。ランド上に実装された回路部品３８１とコイル３７の一端とが電気的に接続されることにより、一連の回路が構成される。外部電源からリード線（図略）を介して回路パターンに供給された電流を、回路パターンに実装された回路部品３８１、例えば、ドライブＩＣやホール素子３８１１を介してコイル３７に流すことにより、ステータコア３５に磁界が発生する。この磁界と多極着磁されたロータマグネット３３が形成する磁界との相互作用により、インペラ２に回転トルクが発生し、インペラ２がシャフト３２を回転軸として回転する。
【００３１】
インペラ２の回転位置の検出にはホール素子３８１１が用いられる。インペラ２が回転することによって、その内周面に固定されたロータマグネット３３の磁束が回路基板に実装されたホール素子３８１１によって検出される。ロータマグネット３３は周方向に多極着磁されているため、インペラ２が回転することによってホール素子３８１１の上方を通過する磁束が変化する。これにより、インペラ２の位置を検出することができる。ホール素子３８１１の代わりに、内部にアンプ回路を内蔵するホールＩＣを用いても良い。また本実施例においては磁束を検出する磁気センサを用いたが、これに限定するものでなく、その他の検出手段を用いても良い。ドライブＩＣは、コイル３７に供給される出力電圧をスイッチングすることができる。これらホール素子３８１１およびドライブＩＣが回路基板３８に実装されることによって、インペラ２の回転速度を制御することが可能となる。
【００３２】
回路基板３８に実装された回路部品３８１に電流が流れることにより、回路部品３８１が電気抵抗を有しているため、回路部品３８１において発熱が生じる。インペラ２が回転する際に発生する空気流量を増加させると、それに伴って、インペラ２の仕事量が増すため、回路部品３８１に流れる電流値は高くなり、回路部品３８１における発熱量が増加する。
【００３３】
回路部品３８１とベース部１２との間には、図１に示されているように、熱伝導性の高い導熱部材４が介在されている。従って、回路部品３８１に発生する熱は、導熱部材４を介してベース部１２に伝達される。ベース部１２と支持脚１３とハウジング１は、熱伝導性に優れた材料で一体成形されているので、回路部品３８１で発生した熱が、ベース部１２に伝達された後、支持脚１３およびハウジング１に伝達され、拡散する。インペラ２が回転駆動することによって軸方向に生じた空気流が、ベース部１２と支持脚１３とハウジング１とに伝達された熱を外部に強制放熱する。なお、導熱部材４は、側壁１５と回路基板３８とベース部１２とで形成される略閉空間に収容されている。
【００３４】
導熱部材４には、低硬度の熱伝導性シリコンゴムシートを用いる。シリコンゴムシートは、軟らかく、粘着性に優れている。このため、シリコンゴムシートの表面形状は、ベース部１２と各回路部品３８１の間に介在されることによって、各回路部品３８１で形成された凹凸部分（つまり回路基板３８の実装面の形状）に合わせて形状を変化させることが可能である。よって、各回路部品３８１の下端面および側面が、シリコンゴムシートによって覆われている。従って、各回路部品３８１とシリコンゴムシートとの接触面積が大きくなり、各回路部品３８１で発生した熱は、効率良くシリコンゴムシートに伝達される。例えば、軸方向の高さが均一でない複数の回路部品３８１を回路基板３８に実装したとき、ベース部１２の上端面と各回路部品３８１の下端面との間隔にばらつきが生じる。このとき、導熱部材４を、ベース部１２と各回路部品３８１との間に介在させると、導熱部材４は、各回路部品３８１の形状に対応するように変形する。従って、導熱部材４は各回路部品３８１に対して接触面積が大きくなり、導熱部材４の粘着性により密着性が向上し、各回路部品３８１で発生した熱を効率良くベース部１２に伝熱することができる。加えて、インペラ２の回転制御や回転速度などの仕様変更に伴い、回路基板３８における回路部品３８１の実装位置や、回路部品３８１の変更に対して、柔軟に対応させることが可能となる。更に、導熱部材４は低硬度であるため、図３のように、特に放熱させる必要のある一部分の回路部品３８１に対応させて、導熱部材４の形状を変更することが容易である。また、導熱部材４を回路基板３８とベース部１２との間に介在させることによって、インペラ２の回転に伴って発生する振動の回路基板３８への伝達が低減される。これにより、ファンモータＡの騒音値及び振動値を低下させることができる。
【００３５】
導熱部材４を薄くすることで、導熱部材４の使用量を少なくし、コストダウンを図ることができる。また、導熱部材４の熱抵抗値を低く抑えることも可能となる。導熱部材４の熱抵抗値が低くなると、効率よく回路部品３８で発生した熱がベース部１２に伝達される。導熱部材４を薄くするためには、ベース部１２の上端面と回路基板３８の下端面とを近接させ、ベース部１２と回路部品３８１との間隙を狭くすることが考えられる。本実施例の変形例においては、図４のように、ベース部１２を厚くすることで、ベース部１２と回路部品３８１との間隙を狭くし、導熱部材４を薄くしている。図１および図４において、ベース部１２の厚みは、それぞれ約３．５ｍｍおよび約５．５ｍｍとしている。ベース部１２と回路部品３８１との間隙は、それぞれ約３．５ｍｍおよび約１．５ｍｍとしている。即ち、導熱部材４の厚みが約２ｍｍ薄くなる。このとき、図４の回路部品３８１は、図１の回路部品３８１に対して、約８℃表面温度が低い。従って、導熱部材４の厚みを３．５ｍｍから１．５ｍｍにした場合、回路部品３８１の表面温度を約８℃冷却することができる。また、導熱部材４が配置される部分に、回路基板３８へ向かう突出面を形成しても良い。
【００３６】
導熱部材４には、低硬度のシリコンゴムシートの他に、アルミニウム薄などの支持基材上に充填剤が含まれる感圧接着剤を塗布してコーティングしたサーマルテープ、例えば、ポリイミドフィルム（Ｐｏｌｙｉｍｉｄｅ  Ｆｉｌｍ）等のテープ状の部材を用いても良い。シリコンオイルを基油としたアルミナ等の熱伝導性の高い粉末を配合した、グリス状の熱伝導性シリコン樹脂を用いても良い。導熱部材４は、熱伝導性が高い部材であれば、適宜変更が可能であり、限定されない。
【００３７】
ベース部１２を形成するアルミ合金は導電性材料であることから、製品の信頼性を考慮して、回路基板３８とベース部１２とを電気的に絶縁する必要がある。本実施形態では、導熱部材４は絶縁材料であるシリコンゴムシートで形成されているので、回路基板３８とベース部１２とは、電気的に絶縁されている。回路基板３８とベース部１２との間に導熱部材４が介在していない部分においては、絶縁シート５、例えば、ポリエステルフィルム（Ｐｏｌｙｅｓｔｅｒ  Ｆｉｌｍ）などがベース部１２の上端面に載置されている。回路基板３８とベース部１２とが、導熱部材４および絶縁シート５によって電気的に絶縁されるので、ハウジング１などの筐体に落雷による高電圧（サージ電圧）が印加された場合、回路基板３８とベース部１２との短絡を防止し、絶縁耐力（耐電圧）が向上する。なお、絶縁シート５の外縁部を上方に折曲させて、側壁の一部を構成しても良い。
【００３８】
（第２の実施形態）図６は、本発明にかかる、第２の実施形態を示した断面図である。図７は、本発明の第２の実施形態を示した斜視図である。図６および図７において、図１乃至図５と同一符号のものは、同一もしくはそれに相当する部位を示す。
【００３９】
インペラ２ａは、図６および図７のように、略円筒状のインペラカップ部２１を備えており、インペラカップ部２１の径方向外方には、中心軸を中心として環状に配列された複数枚の羽根２２を備えている。複数枚の羽根２２は、羽根支持部２３によって連結固定されている。羽根支持部２３は、インペラカップ部２１の外周面から放射状に延出されている。インペラ２ａの形状に関しては、上述した形状に限定されず、インペラカップ部２１の外周面に、複数枚の羽根２２が放射状に突設される形状でも良く、インペラ２ａが回転することによって軸方向から空気を吸気して径方向外方に向けて排気されるインペラ形状であれば、要求特性に合わせて適宜変更である。
【００４０】
インペラカップ部２１の内周面には、有蓋円筒状のロータヨーク３１が圧入固定されている。ロータヨーク３１の円筒部内周面には、多極着磁されたロータマグネット３３が圧入固定されている。ロータヨーク３１の中心部には、シャフト貫通孔が形成されており、シャフト貫通孔にシャフト３２が締結固定されている。
【００４１】
シャフト３２は、ボール軸受３４１および３４２に挿入されることによって、回転自在に支持される。ボール軸受３４１および３４２は、ベース部１２ａの中心部に形成された略円筒状の軸受ハウジング１２１の内周面に設けられた段差部に、ボール軸受３４１が中心軸上方向より、軸受３４２が中心軸下方向より、挿入される。
【００４２】
ベース部１２ａの外縁に、インペラ２ａを径方向外方から包囲するハウジング側壁部１ｂが形成されている。ベース部１２ａとハウジング側壁部１ｂとが一体成形されることによって、ハウジング１ａが構成されている。ハウジング側壁部１ｂの上端部に、図６および図７のように、吸気口１７を有するハウジングカバー１９が取り付けられている。ベース部１２ａと、ハウジング側壁部１ｂの内側面と、ハウジングカバー１９と、複数枚の羽根２２の外周面が形成する包絡面とで取り囲まれることによって、インペラ２ａが回転する際に発生する空気流の空気流路１４ａが形成される。空気流路１４ａを流れた空気は、ハウジング側壁部１ｂに備えられた排気口１８から外部に排出される。吸気口１７は、ベース部１２ａに形成されても良く、ハウジングカバー１９もしくはベース部１２ａの少なくとも何れかに形成されれば良い。また、空気流路１４ａは、回転軸に垂直な断面において、空気流路１４ａの幅が排気口１８に向かって漸次拡大する。しかし、小型ファンモータにおいては、流路の幅を一定にしても風量特性が低減しないため、空気流路の幅が排気口に向かって漸次拡大しなくても良い。
【００４３】
ステータ部３は、軸受ハウジング１２１の外周部に支持される。ステータ部３は、ステータコア３５と、コイル３７と、インシュレータ３６と、回路基板３８と、で構成される。ステータコア３５は、ロータヨーク３１の円筒部内周面に固定されたロータマグネット３３と間隙を介して、径方向に対向するように配置されている。ステータコア３５の径方向外方の端部に形成された各ティース３５１には、絶縁部材で形成されたインシュレータ３６を介して、コイル３７がそれぞれ巻回される。ステータコア３５の下方には、インペラ２ａの回転駆動を制御するための回路基板３８が配置される。
【００４４】
回路基板３８の片面に、回路パターンが形成されている。回路基板３８は、回路パターンが形成されている側をベース部１２ａと対向する側に向けて、インシュレータ３６に固定される。ただし、回路基板３８の固定手段は限定されない。回路パターン上には、回路部品３８１を実装するためのランドが形成されている。ランド上に実装された回路部品３８１とコイル３７の一端とが電気的に接続されることにより、一連の回路が構成される。外部電源からリード線を介して回路パターンに供給された電流を、回路パターンに実装された回路部品３８１を介してコイル３７に流すことにより、ステータコア３５に磁界が発生する。この磁界と多極着磁されたロータマグネット３３が形成する磁界との相互作用により、インペラ２ａに回転トルクが発生し、インペラ２ａがシャフト３２を回転軸として回転する。
【００４５】
回路基板３８に実装された回路部品３８１に電流が流れることにより、回路部品３８１が電気抵抗を有しているため、回路部品３８１において発熱が生じる。
【００４６】
回路部品３８１とベース部１２ａとの間には、図６に示されているように、熱伝導性の高い導熱部材４が介在されている。従って、回路部品３８１に発生する熱は、導熱部材４を介してベース部１２ａに伝達される。ベース部１２ａとハウジング１ａは、熱伝導性に優れた材料で一体成形されているので、回路部品３８１で発生した熱が、ベース部１２ａに伝達された後、ハウジング１ａに伝達され、拡散する。インペラ２ａが回転駆動することによって軸方向に生じた空気流が、ベース部１２ａとハウジング１ａとに伝達された熱を外部に強制放熱する。
【００４７】
導熱部材４には、低硬度の熱伝導性シリコンゴムシートを用いる。シリコンゴムシートは、軟らかく、粘着性に優れている。このため、シリコンゴムシートの表面形状は、ベース部１２と各回路部品３８１の間に介在されることによって、各回路部品３８１で形成された凹凸部分（つまり回路基板３８の実装面の形状）に合わせて形状を変化させることが可能である。よって、各回路部品３８１の下端面および側面が、シリコンゴムシートによって覆われている。従って、各回路部品３８１とシリコンゴムシートとの接触面積が大きくなり、各回路部品３８１で発生した熱は、効率良くシリコンゴムシートに伝達される。
【００４８】
ベース部１２ａを形成するアルミ合金は導電性材料であることから、製品の信頼性を考慮して、回路基板３８とベース部１２ａとを電気的に絶縁する必要がある。本実施形態では、導熱部材４は絶縁材料であるシリコンゴムシートで形成されているので、回路基板３８とベース部１２ａとは、電気的に絶縁されている。回路基板３８とベース部１２ａとの間に導熱部材４が介在していない部分においては、絶縁シート５がベース部１２ａの上端面に載置されている。回路基板３８とベース部１２ａとが、導熱部材４および絶縁シート５によって電気的に絶縁されるので、ハウジング１ａなどの筐体に落雷による高電圧が印加された場合、回路基板３８とベース部１２ａとの短絡を防止し、絶縁耐力が向上する。
【００４９】
（その他の実施形態）上記の第１および第２の実施形態においては、ファンモータＡおよびＢに関して説明をしたが、本発明は、ファンモータに限定されず、回路部品３８で発生した熱が導熱部材４を介してベース部１２もしくは１２ａに伝達される構成であれば、ファンモータに限らず、その他のＤＣブラシレスモータに適用可能である。
【００５０】
上記の第１および第２の実施形態においては、ＤＣブラシレスモータの構成が、ティース３５１の径方向外方に間隙を介しロータマグネット３３が対向しているアウターロータであるが、本発明は、ティース３５１の径方向内方に間隙を介しロータマグネット３３が対向しているインナーロータにも適用可能である。
【図面の簡単な説明】
【００５１】
【図１】本発明の第１の実施例を示す軸流ファンモータの軸方向断面図である。
【図２】本発明の第１の実施例を示す軸流ファンモータを分解した斜視図である。
【図３】第１の実施例におけるベース部の第１の変形例を示す軸流ファンモータの軸方向断面図である。
【図４】第１の実施例におけるベース部の第２の変形例を示す軸流ファンモータの軸方向断面図である。
【図５】第１の実施例におけるベース部の第３の変形例を示す軸流ファンモータの軸方向断面図である。
【図６】本発明の第２の実施例を示す遠心ファンモータの軸方向断面図である。
【図７】本発明の第２の実施例を示す遠心ファンモータを分解した斜視図である。
【符号の説明】
【００５２】
Ａ        ファンモータ
１        ハウジング
１１      風洞部
１２      ベース部
１２１    軸受ハウジング
１３      支持脚
１４      空気流路
１５      側壁
１６      フランジ部
１６１    取付け孔
１７      吸気口
１８      排気口
２        インペラ
２１      インペラカップ部
２２      羽根
３        ステータ部
３１      ロータヨーク
３２      シャフト
３３      ロータマグネット
３４１    ボール軸受（上側）
３４２    ボール軸受（下側）
３４３    バネ
３４４    ワイヤーリング
３５      ステータコア
３５１    ティース
３６      インシュレータ
３７      コイル
３８      回路基板
３８１    回路部品
３８１１  ホール素子
４        導熱部材
５        絶縁シート
Ｂ        ファンモータ
１ａ      ハウジング
１ｂ      ハウジング側壁部
１９      ハウジングカバー
２ａ      インペラ
１２ａ    ベース部
１４ａ    空気流路
２３      羽根支持部
【図１】
2007300741.tif 000003
【図２】
2007300741.tif 000004
【図３】
2007300741.tif 000005
【図４】
2007300741.tif 000006
【図５】
2007300741.tif 000007
【図６】
2007300741.tif 000008
【図７】
2007300741.tif 000009
【手続補正書】
【提出日】平成18年6月20日(2006.6.20)
【手続補正１】
【補正対象書類名】特許請求の範囲
【補正対象項目名】全文
【補正方法】変更
【補正の内容】
【特許請求の範囲】
【請求項１】
電動式のモータであって、
ステータ部と、
前記ステータ部に対して所定の中心軸周りに回転するロータ部と、
前記ステータ部が取付けられ、熱伝導性に優れた材料で形成されたベース部と、
を備え、
前記ステータ部が、
コイルが巻回された複数のティースを有するステータコアと、
前記ロータ部の回転を制御する制御回路を構成する回路部品が実装され、前記ロータ部と前記ベース部との間に設けられた回路基板と、
で構成され、
前記回路基板の前記ベース部側に実装された回路部品の少なくとも一部と、前記ベース部と、の間に両者に接触する状態で導熱部材が介在される
ことを特徴とするモータ。
【請求項２】
請求項１に記載のモータであって、
前記ベース部が、側壁を前記ベース部の外周部に有する
ことを特徴とするモータ。
【請求項３】
請求項１または請求項２に記載のモータであって、
前記ベース部が、ダイキャストによって形成される
ことを特徴とするモータ。
【請求項４】
請求項１ないし請求項３のいずれかに記載のモータであって、
前記ベース部の前記回路部品と対向する面に、前記回路基板へ向かう突出面が形成される
ことを特徴とするモータ。
【請求項５】
請求項１ないし請求項４のいずれかに記載のモータであって、
前記回路部品に対向する前記ベース部の対向面には、前記導熱部材および絶縁シートが配置されている
ことを特徴とするモータ。
【請求項６】
請求項１ないし請求項５のいずれかに記載のモータを用いたファンユニットであって、
前記ロータ部は、
前記ロータ部外周面より径方向外方に向けて突設され、
回転することで空気を軸方向に吸気し軸方向に排気する複数枚の羽根を備え、
前記複数枚の羽根は、
前記空気流の流路を形成するハウジングによって径方向外方から外囲され、
前記ハウジングと前記ベース部とが支持脚によって連結される
ことを特徴とする軸流ファンユニット。
【請求項７】
請求項１ないし請求項６のいずれかに記載のモータを用いたファンユニットであって、
前記ロータ部は、
前記ロータ部の径方向外方において、前記中心軸を中心として環状に配列された複数枚の羽根を備えており、
軸方向から吸気した空気を径方向外方側に排出するように流路が形成されたハウジングが備えられている
ことを特徴とする遠心ファンユニット。
【手続補正２】
【補正対象書類名】明細書
【補正対象項目名】００１２
【補正方法】変更
【補正の内容】
【００１２】
請求項４にかかるモータでは、請求項１ないし請求項３のいずれかに記載のモータであって、ベース部が、ベース部の回路部品と対向する面に、回路基板へ向かう突出面が形成されることを特徴とする。
【手続補正３】
【補正対象書類名】明細書
【補正対象項目名】００１３
【補正方法】変更
【補正の内容】
【００１３】
請求項５にかかるモータでは、請求項１ないし請求項４のいずれかに記載のモータであって、回路部品に対向するベース部の対向面には、導熱部材および絶縁シートが配置されていることを特徴とする。
【手続補正４】
【補正対象書類名】明細書
【補正対象項目名】００１４
【補正方法】変更
【補正の内容】
【００１４】
請求項６にかかるモータでは、請求項１ないし請求項５のいずれかに記載のモータを用いた軸流ファンユニットであって、ロータ部は、ロータ部外周面より径方向外方に向けて突設され、回転することで空気を軸方向に吸気し軸方向に排気する複数枚の羽根を備え、複数枚の羽根は、空気流の流路を形成するハウジングによって径方向外方から外囲され、ハウジングとベース部とが支持脚によって連結されることを特徴とする。
【手続補正５】
【補正対象書類名】明細書
【補正対象項目名】００１７
【補正方法】変更
【補正の内容】
【００１７】
請求項２の発明によれば、ベース部の外周部に側壁が形成されることによって、導電部材がベース部内に収容することができる。加えて、ベース部の外周部に側壁を形成された分だけベース部の表面積が増加することになり、回路部品の冷却効率が向上する。
【手続補正６】
【補正対象書類名】明細書
【補正対象項目名】００２０
【補正方法】変更
【補正の内容】
【００２０】
請求項７および請求項８の発明によれば、熱伝導性に優れたベース部もしくはベース部と熱的に接続された部材に、インペラの回転によって生じる空気流を当てることにより、更に強制的に回路部品を冷却することができる。
【手続補正７】
【補正対象書類名】明細書
【補正対象項目名】００３６
【補正方法】変更
【補正の内容】
【００３６】
導熱部材４には、低硬度のシリコンゴムシートの他に、アルミニウム薄などの支持基材上に充填剤が含まれる感圧接着剤を塗布してコーティングしたサーマルテープ等の部材を用いても良い。シリコンオイルを基油としたアルミナ等の熱伝導性の高い粉末を配合した、グリス状の熱伝導性シリコン樹脂を用いても良い。導熱部材４は、熱伝導性が高い部材であれば、適宜変更が可能であり、限定されない。